(57)【要約】    【課題】  断路器の間隔が狭くても、断路器の碍子に過大な外力がかかるのを防止する。一次側母線を張り替えないで済ませる。工事の危険度を低くする。    【解決手段】  ２つの断路器の中間に一次側母線12を垂下し、この一次側母線12の下端に取り付けられたスプリング式Ｔ分岐クランプの本体30と２つの断路器とを電気的に接続するのに、湾曲したフレキシブル導体40の一端に板状端子42を、他端にスプリング式Ｔ分岐クランプ本体30にスライド嵌合する断面形状のブロック端子44を取り付けた２組の接続ユニット38Ａ、38Ｂを使用する。１組の接続ユニット38Ａの板状端子42を一方の断路器に接続すると共にブロック端子44をスプリング式Ｔ分岐クランプ本体30に一端側からスライド嵌合し、もう１組の接続ユニット38Ｂの板状端子42を他方の断路器に接続すると共にブロック端子44をスプリング式Ｔ分岐クランプ本体30に他端側からスライド嵌合する。スプリング式Ｔ分岐クランプ本体30と２つのブロック端子44、44とを溶接接続する。【選択図】      図１
2005065397.tif 000002
【特許請求の範囲】
【請求項１】
所要の間隔をおいて設置された２つの断路器の中間に一次側母線を垂下し、この一次側母線の下端に取り付けられたスプリング式Ｔ分岐クランプの本体と前記２つの断路器とを電気的に接続する母線構造体であって、
湾曲したフレキシブル導体の一端に板状端子を、他端に前記スプリング式Ｔ分岐クランプ本体にスライド嵌合する断面形状のブロック端子を取り付けてなる接続ユニットを２組使用し、１組の接続ユニットの板状端子を一方の断路器に接続すると共にブロック端子をスプリング式Ｔ分岐クランプ本体に一端側からスライド嵌合し、もう１組の接続ユニットの板状端子を他方の断路器に接続すると共にブロック端子をスプリング式Ｔ分岐クランプ本体に他端側からスライド嵌合し、スプリング式Ｔ分岐クランプ本体とそこにスライド嵌合した２つのブロック端子とを溶接接続したことを特徴とする断路器間接続用母線構造体。
【発明の詳細な説明】
【技術分野】
【０００１】
本発明は、変電所等で２つの断路器間を接続する母線構造体に関するものである。
【背景技術】
【０００２】
図４は変電所における一般的な母線と断路器の配置を示す。図において、10Ａ、10Ｂは所要の間隔をおいて設置された２つの断路器（１相分）、12は２つの断路器10Ａ、10Ｂの中間に垂下された一次側母線、14Ａ、14Ｂは断路器10Ａ、10Ｂの二次側に接続された二次側母線である。断路器10Ａ、10Ｂは、それぞれ支持碍子の上端に取り付けられた一次側接触子16Ａ、16Ｂ、二次側接触子18Ａ、18Ｂ及びブレード（可動接触子）20Ａ、20Ｂを有しており、一次側接触子16Ａ、16Ｂが内端側に、二次側接触子18Ａ、18Ｂが外端側に位置するように直列に配置されている。
【０００３】
断路器10Ａ、10Ｂの一次側接触子16Ａ、16Ｂ間は渡り母線22で接続されている。鉄塔24から断路器10Ａ、10Ｂの中間に垂下された一次側母線12は、渡り母線22の中間に接続されている。
【０００４】
渡り母線22の両端には図５に示すように板状端子26Ａ、26Ｂが圧縮接続され、この板状端子26Ａ、26Ｂが断路器10Ａ、10Ｂの一次側接触子16Ａ、16Ｂ（図４参照）に締付け接続されている。一次側母線12の下端はスプリング式Ｔ分岐クランプ28によって渡り母線22の中間に接続されている。
【０００５】
スプリング式Ｔ分岐クランプ28は、図６に示すように、一次側母線12の下端に圧縮接続される本体30と、スプリング34及びサドル36を内蔵するハウジング32とから構成されている。ハウジング32は本体30に箸箱式にスライド嵌合されるようになっている。スプリング式Ｔ分岐クランプ28は、サドル36と本体30との間に渡り母線22をはさみ、スプリング34の反発力で締め付けることにより、一次側母線12と渡り母線22を電気的に接続するものである。
【発明の開示】
【発明が解決しようとする課題】
【０００６】
渡り母線22はアルミ撚線からなり、可とう性を有しているが、２つの断路器10Ａ、12Ｂの設置間隔がせまい場合には、渡り母線22の露出長さが短くなるため、可とう性が損なわれる。その結果、断路器10Ａ、10Ｂの一次側接触子16Ａ、16Ｂが渡り母線22で連結された状態に近くなり、地震や台風などにあうと、一次側接触子16Ａ、16Ｂを支持する碍子に過大な外力がかかり、碍子が傾いて、断路器の開閉動作ができなくなることがあった。
【０００７】
この問題を解決するためには、スプリング式Ｔ分岐クランプを取り外して、渡り母線及び一次側母線を張り替える必要があり、工事が大掛かりになるという問題がある。また工事は二次側母線14Ａ、14Ｂのいずれか一方が通電されている状態で行うことが多いため、通電されている方の二次側母線の近くで工事を行うことは危険が伴うという問題がある。
【０００８】
本発明の目的は、以上のような問題点を解決する断路器間接続用母線構造体を提供することにある。
【課題を解決するための手段】
【０００９】
この目的を達成するため本発明は、所要の間隔をおいて設置された２つの断路器の中間に一次側母線を垂下し、この一次側母線の下端に取り付けられたスプリング式Ｔ分岐クランプの本体と前記２つの断路器とを電気的に接続する母線構造体であって、
湾曲したフレキシブル導体の一端に板状端子を、他端に前記スプリング式Ｔ分岐クランプ本体にスライド嵌合する断面形状のブロック端子を取り付けてなる接続ユニットを２組使用し、１組の接続ユニットの板状端子を一方の断路器に接続すると共にブロック端子をスプリング式Ｔ分岐クランプ本体に一端側からスライド嵌合し、もう１組の接続ユニットの板状端子を他方の断路器に接続すると共にブロック端子をスプリング式Ｔ分岐クランプ本体に他端側からスライド嵌合し、スプリング式Ｔ分岐クランプ本体とそこにスライド嵌合した２つのブロック端子とを溶接接続したことを特徴とするものである。
【発明の効果】
【００１０】
本発明に係る断路器間接続用母線構造体は以上のような構成であるので、次のような効果がある。すなわち、２つの断路器の間隔が狭くても、フレキシブル導体に十分な可とう性を持たせることができるため、地震や台風などにより２つの断路器や一次側母線が相対的に変位しても、フレキシブル導体でその変位を吸収することができる。このため断路器の碍子に過大な外力がかからなくなり、碍子の傾きを防止することができる。
【００１１】
また一次側母線の下端に取り付けたスプリング式Ｔ分岐クランプ本体を使用するので、既設の母線を改修する場合でも、一次側母線を張り替える必要がなく、工事を小規模に、低コストで行うことができる。また２組の接続ユニットを順次接続すればよいので、一方の二次側母線が通電状態にあるときは、他方の二次側母線側で工事を行い、他方の二次側母線が通電状態にあるときは、一方の二次側母線側で工事を行うことができ、通電状態にある二次側母線に近づく必要性が少なくなり、工事の危険度を低くできる。
【発明を実施するための最良の形態】
【００１２】
図１及び図２は本発明の一実施形態を示す。図において、12は２つの断路器の中間に垂下された一次側母線、30は一次側母線12の下端に取り付けられたスプリング式Ｔ分岐クランプの本体であり、これらは従来と同じものである。
【００１３】
この母線構造体は、２つの断路器間を接続するために２組の接続ユニット38Ａ、38Ｂを使用している。各々の接続ユニット38Ａ、38Ｂは湾曲したフレキシブル導体40の一端に板状端子42を、他端に前記スプリング式Ｔ分岐クランプ本体30にスライド嵌合する断面形状のブロック端子44を取り付けた構造である。
【００１４】
フレキシブル導体40はアルミ撚線からなり、狭い間隔で十分な可とう性を得るため上方に湾曲させてある。
【００１５】
板状端子42のスリーブ部42ａは、フレキシブル導体40を十分に湾曲させるため、フレキシブル導体40の挿入口が上方を向くように形成されている。フレキシブル導体40はスリーブ部42ａに挿入した後、端面から楔を打ち込み、さらにその端面とスリーブ部42を肉盛り溶接することにより、板状端子42に接続されている。このようにすると圧縮接続の場合よりスリーブ部42ａの長さを短くでき、フレキシブル導体40の可とう性を向上させることができる。
【００１６】
またブロック端子44は図３のような構造である。すなわち、ほぼ中心にフレキシブル導体挿入用の穴46を有する短い筒形で、上面に穴46と同方向にスプリング式Ｔ分岐クランプ本体30の導体把持溝48（図２（ａ）参照）に入る上面突条50を有し、両側面にスプリング式Ｔ分岐クランプ本体30のスライドレール部52（図２（ａ）参照）に係合する側面突条54を有する構造である。これによりブロック端子44はスプリング式Ｔ分岐クランプ本体30にスライド嵌合できるようになっている。
【００１７】
このブロック端子44は、穴46に図３（ｂ）の左端側からフレキシブル導体40を挿入した後、フレキシブル導体40の端面から楔を打ち込んでフレキシブル導体40の端部を拡径し、さらにフレキシブル導体40の端面とブロック端子44の端部を肉盛り溶接することにより、フレキシブル導体40に取り付けられている。
【００１８】
以上のように構成された２組の接続ユニット38Ａ、38Ｂを使用し、そのうちの１組の接続ユニット38Ａは板状端子42を一方の断路器の一次側接触子（図４の16Ａ）に接続すると共に、ブロック端子44をスプリング式Ｔ分岐クランプ本体30に一端側からスライド嵌合する。もう１組の接続ユニット38Ｂは板状端子42を他方の断路器の一次側接触子（図４の16Ｂ）に接続すると共に、ブロック端子44をスプリング式Ｔ分岐クランプ本体30に他端側からスライド嵌合する。この状態で、スプリング式Ｔ分岐クランプ本体30と、そこにスライド嵌合した２つのブロック端子44、44とを溶接により接続する。56はその溶接部である。これで一次側母線12とフレキシブル導体40、40が電気的、機械的に接続された状態となる。
【図面の簡単な説明】
【００１９】
【図１】本発明に係る断路器間接続用母線構造体の一実施形態を示す、（ａ）は平面図、（ｂ）は正面図。
【図２】図１の母線構造体の中間部の構造を示す、（ａ）は側面図、（ｂ）は底面図。
【図３】図１の母線構造体に使用したブロック端子の、（ａ）は平面図、（Ｂ）は正面図、（ｃ）は底面図、（ｄ）は左側面図、（ｅ）は右側面図。
【図４】変電所の母線と断路器の配置を示す正面図。
【図５】従来の断路器間接続用母線構造体を示す、（ａ）は平面図、（ｂ）は正面図。
【図６】図５の母線構造体に使用したスプリング式Ｔ分岐クランプの、（ａ）は正面図、（ｂ）は側面図。
【符号の説明】
【００２０】
10Ａ、10Ｂ：断路器
12：一次側母線
14Ａ、14Ｂ：二次側母線
16Ａ、16Ｂ：一次側接触子
18Ａ、18Ｂ：二次側接触子
20Ａ、20Ｂ：ブレード
28：スプリング式Ｔ分岐クランプ
30：本体
32：ハウジング
38Ａ、38Ｂ：接続ユニット
40：フレキシブル導体
42：板状端子
44：ブロック端子
56：溶接部
【図１】
2005065397.tif 000003
【図２】
2005065397.tif 000004
【図３】
2005065397.tif 000005
【図４】
2005065397.tif 000006
【図５】
2005065397.tif 000007
【図６】
2005065397.tif 000008